(57)【特許請求の範囲】
【請求項１】
透液性トップシートと、不透液性バックシートと、これらシートの間に介在する吸液性コアとを有し、胴周り方向と交差する長手方向が前胴周り域と、後胴周り域と、これら両域間に位置する股下域とで構成され、前記後胴周り域の両側それぞれから前記胴周り方向へ延出する翼部を前記前胴周り域の外面に取り外し可能に係合させて着用する使い捨ておむつであって、
前記翼部には、前記翼部の側縁から内側へ所要寸法離間した部位に、前記おむつの幅方向を二分する中心線へ向かって凸となって延び、前記翼部を厚み方向において貫通している一条の切断線によって前記胴周り方向外方へ折曲可能なタブが形成され、前記タブの外面には、少なくとも前記タブを折曲したときに前記翼部の側縁から外方へ延びる部位に、前記前胴周り域の外面へ着脱可能な係合手段（第１係合手段）が形成されていることを特徴とする前記おむつ。
【請求項２】
前記翼部の内面には、前記翼部側縁近傍に前記前胴周り域外面に着脱可能な係合手段（第２係合手段）が形成されている請求項１記載のおむつ。
【請求項３】
前記第１係合手段が、前記タブを折曲したときに前記翼部の側縁よりも内側に位置する部位にも形成されている請求項１または請求項２記載のおむつ。
【請求項４】
前記翼部が、少なくとも前記表面シートと前記裏面シートとこれらの間に介在する補強シート片と前記第１係合手段とで構成されている請求項１〜３のいずれかに記載のおむつ。
【請求項５】
前記第１係合手段と前記第２係合手段とが、ループ部材とフック部材とからなるメカニカルファスナのいずれか一方の部材で形成され、前記前胴周り域の外面には、前記メカニカルファスナのもう一方の部材からなる係合域が形成されている請求項２〜４のいずれかに記載のおむつ。
【請求項６】
前記第１係合手段と前記第２係合手段とが、前記翼部に塗布された粘着剤である請求項２〜４のいずれかに記載のおむつ。
【請求項７】
前記切断線が、前記翼部の上方に位置する上端と、前記翼部の下方に位置する下端とを有し、前記上端から前記中心線へ向かって延びている部分が、前記中心線と直交して延びる仮想水平線とほぼ平行し、前記下端から前記中心線へ向かって延びている部分が、前記仮想水平線に対して２０〜６０°の交差角度範囲にある請求項１〜６のいずれかに記載のおむつ。
【請求項８】
前記切断線の上下端を結ぶ線と前記翼部の側縁との離間寸法が、３〜３０ｍｍの範囲にある請求項１〜７のいずれかに記載のおむつ。
【請求項９】
前記切断線の上下端を結ぶ線が、前記中心線と交差する方向へ延びている請求項１〜８のいずれかに記載のおむつ。
【発明の詳細な説明】
【０００１】
【発明の属する技術分野】
本発明は、開放型の使い捨ておむつに関する。
【０００２】
【従来の技術】
実開平５−６５３２１号公報記載の使い捨ておむつは、後胴周り域の側部が部分的に胴周り方向へ長く延びて、胴周り側部を覆い、前胴周り域にまで達することが可能なウイング部を有し、ウイング部の外側縁近傍に前胴周り域との連結手段が形成されている。この使い捨ておむつは、テープファスナに代えてウイング部をファスナとして使用する。
【０００３】
【発明が解決しようとする課題】
しかし、後胴周り域の側部にファスナとして機能するウイング部を形成することになると、ウイング部の分だけ後胴周り域を大きく作らなければならず、その分多くのシート材料を使うことになる。
【０００４】
本発明の課題は、ウイング部分を比較的小さく作ることができ、それによって後胴周り域でのシート材料の使用度を少なくすることができる使い捨ておむつの提供である。
【０００５】
【課題を解決するための手段】
前記課題を解決するために、本発明が前提とするのは、透液性トップシートと、不透液性バックシートと、これらシートの間に介在する吸液性コアとを有し、胴周り方向と交差する長手方向が前胴周り域と、後胴周り域と、これら両域間に位置する股下域とで構成され、前記後胴周り域の両側それぞれから前記胴周り方向へ延出する翼部を前記前胴周り域の外面に取り外し可能に係合させて着用する使い捨ておむつである。
【０００６】
かかる前提において、本発明が特徴とするところは、前記翼部には、前記翼部の側縁から内側へ所要寸法離間した部位に、前記おむつの幅方向を二分する中心線へ向かって凸となって延び、前記翼部を厚み方向において貫通している一条の切断線によって前記胴周り方向外方へ折曲可能なタブが形成され、前記タブの外面には、少なくとも前記タブを折曲したときに前記翼部の側縁から外方へ延びる部位に、前記前胴周り域の外面へ着脱可能な係合手段（第１係合手段）が形成されていることにある。
【０００７】
本発明の実施の態様の一例では、前記翼部の内面には、前記翼部側縁近傍に前記前胴周り域外面に着脱可能な係合手段（第２係合手段）が形成されている。
【０００８】
実施の態様の他の一例において、前記第１係合手段が、前記タブを折曲したときに前記翼部の側縁よりも内側に位置する部位にも形成されている。
【０００９】
実施の態様の他の一例において、前記翼部が、少なくとも前記表面シートと前記裏面シートとこれらの間に介在する補強シート片と前記第１係合手段とで構成されている。
【００１０】
実施の態様の他の一例において、前記第１係合手段と前記第２係合手段とが、ループ部材とフック部材とからなるメカニカルファスナのいずれか一方の部材で形成され、前記前胴周り域の外面には、前記メカニカルファスナのもう一方の部材からなる係合域が形成されている。
【００１１】
また、実施の態様の一例において、前記第１係合手段と前記第２係合手段とが、前記翼部に塗布された粘着剤である。
【００１２】
実施の態様の他の一例において、前記切断線が、前記翼部の上方に位置する上端と、前記翼部の下方に位置する下端とを有し、前記上端から前記中心線へ向かって延びている部分が、前記中心線と直交して延びる仮想水平線とほぼ平行し、前記下端から前記中心線へ向かって延びている部分が、前記仮想水平線に対して２０〜６０°の交差角度範囲にある。
【００１３】
実施の態様の他の一例において、前記切断線の上下端を結ぶ線と前記翼部の側縁との離間寸法が、３〜３０ｍｍの範囲にある。
【００１４】
また、実施の態様の他の一例において、前記切断線の上下端を結ぶ線が、前記中心線と交差する方向へ延びている。
【００１５】
【発明の実施の形態】
添付の図面を参照して、この発明に係る使い捨ておむつの詳細を説明すると、以下のとおりである。
【００１６】
図１，２は、使い捨ておむつ１の内面の部分破断平面図と、図１のＩ−Ｉ線断面図である。使い捨ておむつ１は、透液性トップシート２と、不透液性バックシート３と、これらシート２，３のうちの少なくとも一方の内面に接合された吸液性コア４とを有し、胴周り方向と交差する長手方向が前胴周り域２０と、後胴周り域２２と、これら両域２０，２２間に位置する股下域２１とで構成されている。
【００１７】
トップシート２とバックシート３とは、コア４の両端縁から長手方向外方へ延出する部位と、コア４の両側縁から幅方向外方へ延出する部位とが、これらシート２，３の内面において互いに接合され、前後胴周り域２０，２２のそれぞれから胴周り方向へ延出する翼部２３，２４を形成している。股下域２１には、コア４の側縁に向かって凹む凹欠部１１が形成され、凹欠部１１に沿って伸縮する弾性部材１２が延在し、前後胴周り域２０，２２には、これらの端縁１５，１６に沿って弾性部材１３，１４が延在している。弾性部材１２，１３，１４は、両シート２，３間に位置して、これらシート２，３のうちの少なくとも一方の内面に伸長状態で接合されている。弾性部材１２，１３，１４それぞれの伸張状態を解除すると、股下域２１の両側縁部と前後胴周り域２０，２２の端縁部とには、脚周りおよび胴周り用のギャザーが形成される。前胴周り域２０の外面には、後胴周り域２２のフラップ２４を着脱させる係合域１９が形成されている（図３参照）。
【００１８】
後胴周り域２２の翼部２４は、トップシート２と、バックシート３と、これらシート２，３の間に介在し、これらシート２，３の少なくとも一方の内面に接合された補強シート片５とで形成されている。後胴周り域２２の翼部２４には、翼部２４の側縁１０から内側へ所要の寸法離間して、おむつ１の幅方向を二分する中心線Ｙへ向かって凸となって延び、翼部２４を厚み方向において貫通している一条の切断線Ａにより、翼部２４を部分的に折曲可能なタブ６が形成されている。図では、切断線Ａの両端Ｐ，Ｑ間を結んで得られる直線Ｂが仮想線で示されている。図１では、タブ６の一方が直線Ｂにおいてバックシート３側へ折曲された状態にある。補強シート片５を含む翼部２４のクラーク法による剛性値は、６０ｍｍ〜２００ｍｍの範囲にある。
【００１９】
かかるおむつ１において、タブ６の外面には、前胴周り域２０の係合域１９に着脱する第１係合手段７が形成されている。後胴周り域２２の翼部２４の内面には、翼部２４の側縁１０の上部近傍と下部近傍とに、前胴周り域２０の係合域１９に着脱する第２係合手段８ａ，８ｂが形成されている。第１，２係合手段７，８ａ，８ｂには、商品名マジックテープ等で知られるフック部材とループ部材とからなるメカニカルファスナのうちのいずれか一方の部材を用い、前胴周り域２０の係合域１９には、もう一方の部材を用いることが好ましい。これら部材は、接着剤または熱溶着手段によりトップシート２やバックシート３に接合される。また、第１，２係合手段７，８ａ，８ｂには、メカニカルファスナに代えて粘着剤を使用することができる。このとき、係合域１９には、粘着性の係合手段を折り返して着脱させることができる合成樹脂フィルムを使用する。
【００２０】
トップシート２には、疎水性不織布を親水化剤で処理したものや親水化剤を練り込んだ合成繊維からなる不織布等が用いられる。バックシート３には、合成樹脂フィルムまたは合成樹脂フィルムと疎水性不織布とのラミネートシート等が用いられる。補強シート５には、ポリマー鎖が中心線Ｙに並行するように配向している合成樹脂フィルムや繊維が中心線に並行するように配向している不織布を用いると、タブ６を胴周り方向へ引張っても、翼部２４が簡単に破れるということがない。
【００２１】
図３は、着用状態を示す使い捨ておむつ１の斜視図である。このように構成されたおむつ１は、タブ６の先端部６ｂを指で摘み、タブ６を直線Ｂで折曲して第１係合手段７を前胴周り域２０の係合域１９に貼着するとともに、翼部２４の第２係合手段８ａ，８ｂを前胴周り域２０の係合域１９に貼着する。後胴周り域２２の翼部２４は、前胴周り域２０の係合域１９に対しこれら３個所で係合するので、前後胴周り域２０，２２を確実に連結させることができる。おむつ１には、胴周り開口１７と一対の脚周り開口１８とが形成され、後胴周り域２２の翼部２４には、タブ６が存在していた部位に開口部９が形成される。おむつ１内部の湿気は、開口部９から外部へ排出されるので、おむつ１内部のむれを防ぐことができる。
【００２２】
図４，５は、後胴周り域２２の翼部２４内面の部分図であるが、図５は、タブ６を胴周り方向外方Ｏへ折曲された状態を示す。切断線Ａは、翼部２４の側縁１０の内側に位置して上下に離間する上下端Ｐ，Ｑを有し、上端Ｐから中心線Ｙへ向かって延びる線Ａ１と、下端Ｑから中心線Ｙへ向かって延びる線Ａ２と、これら線Ａ１，Ａ２を結ぶ線Ａ３とからなる。線Ａ１は、中心線Ｙと直交する仮想水平線Ｘに対してほぼ平行して延び、線Ａ２は、中心線Ｙへ向かって登り勾配となるように傾斜し、仮想水平線Ｘと２０〜６０°の交差角度αで交差するように延びている。切断線Ａは、図示のように一連のものであるが、１個所または２個所以上で翼部２４と切離し可能に連結されていてもよいし、切断線Ａを切離し可能なミシン目としてもよい。翼部２４の側縁１０とほぼ並行して切断線Ａの上下端Ｐ，Ｑの間に延びている直線Ｂと翼部２４の側縁１０との離間寸法Ｗ１は、３〜３０ｍｍが好ましい。
【００２３】
第１係合手段７は、図示例においてタブ６の基端部と先端部とを残して形成されているが、直線Ｂの近傍にまで延びていてもよい。図５に示すように、タブ６を折曲したときに、直線Ｂと対向する第１係合部７の側縁部７ａが、翼部２４の側縁１０近傍に重なっている。これらが重なり合う部位では、タブ６と翼部２４とが互いに係合するので、タブ６の捩じれを抑えることができ、翼部２４を前胴周り域２０の係合域１９へ貼着する操作が容易になる。これらが重なり合う寸法Ｗ２は、翼部２４の側縁１０から内側へ向かって２〜５ｍｍが好ましい。
【００２４】
図６は、図４，５とは異なる態様の後胴周り域２２の翼部１０内面の部分図であり、タブ６が胴周り方向外方Ｏへ折曲されている。タブ６は、上下端Ｐ，Ｑそれぞれから仮想水平線Ｘにほぼ平行して中心線Ｙへ向かって延びる線Ａ１，Ａ２と、これら線Ａ１，Ａ２を結び中心線Ｙに平行して延びる線Ａ３とで形成されている。切断線Ａの上下端Ｐ，Ｑには、上端Ｐから下端Ｑへ向かって翼部２４の側縁１０へ下り勾配となるように傾斜する直線Ｂが延びている。直線Ｂで胴周り方向外方Ｏへ折曲されたタブ６は、仮想水平線Ｘに対して交差し、胴周り方向外方Ｏへ向かって登り勾配となるように傾斜している。これとは逆に、直線Ｂを上端Ｐから下端Ｑに向かい中心線Ｙへ接近するように傾斜させることもできる。この場合、折曲されたタブ６は、仮想水平線Ｘに対して交差し、胴周り方向外方Ｏへ向かって下り勾配となるように傾斜する。
【００２５】
切断線Ａの上下端Ｐ，Ｑの近傍Ｃは、これらが互いに離間する方向または接近する方向へ延びるように曲げることができる。このようにすることで、タブ６を引っ張ったときに翼部２４を破れ難くすることができる。
【００２６】
【発明の効果】
本発明に係る使い捨ておむつによれば、ファスナとして機能するウイング部を特に大きくする必要がないので、後胴周り域を作るためのシート材料を節約することができる。
【００２７】
後胴周り域の翼部が３個所で前胴周り域の係合域に着脱するので、おむつの着用中に前胴周り域と後胴周り域との係合が簡単に外れることはない。タブを折り返したときに開口部が形成されるので、通気性が向上する。
【図面の簡単な説明】
【図１】おむつ内面の部分破断平面図。
【図２】図１のＩ−Ｉ線断面図。
【図３】着用状態にあるおむつの斜視図。
【図４】おむつの後胴周り域の翼部内面の部分図。
【図５】タブが折曲されている翼部の部分図。
【図６】タブが折曲されている図５とは異なる態様の翼部の部分図。
【符号の説明】
１          使い捨ておむつ
２          透液性トップシート
３          不透液性バックシート
４          吸液性コア
５          補強シート片
６          タブ
７          第１係合手段
８ａ，８ｂ    第２係合手段
１０          翼部の側縁
１９          係合域
２０          前胴周り域
２１          股下域
２２          後胴周り域
２４          翼部
Ａ          切断線
Ｐ          上端
Ｑ          下端
Ｗ１          離間寸法
Ｘ          仮想水平線
Ｙ          中心線
α          交差角度
【図１】
0003575990.tif 000002
【図２】
0003575990.tif 000003
【図３】
0003575990.tif 000004
【図４】
0003575990.tif 000005
【図５】
0003575990.tif 000006
【図６】
0003575990.tif 000007